(57)【要約】【課題】  ミシンのフリーアーム部に装着可能な補助テーブルにおいて、補助テーブルの着脱時における操作性を改善する。【解決手段】  補助テーブル２１は、ミシンベッド１に設けられた複数の係合支持部１０，１１，１２に係合可能な複数の係合部２６，２７，２８を有するテーブル本体２２と、テーブル本体２２の左端部に、略水平姿勢の収納位置と略鉛直姿勢の使用位置とに亙って切換え可能に設けられた略Ｕ字形状の第１の支持脚２３と、テーブル本体２２の右端部に、略水平姿勢の収納位置と略鉛直姿勢の使用位置とに亙って切換え可能に設けられた略Ｕ字形状の第２の支持脚２４であって、フリーアーム部１ａの伸長方向に移動させて装着する際、使用位置に位置する第２の支持脚２４の下端部が、フリーアーム部１ａと底板９との空間に挿入されて底板９に載置される第２の支持脚２４とを有する。【選択図】  図２
2006149949.tif 000002
【特許請求の範囲】
【請求項１】
左側方に伸長する筒状のフリーアーム部を有するミシンベッドと前記フリーアーム部の下方に所定の空間をおいて配置された底板とを備えたミシンに着脱可能に装着する補助テーブルにおいて、
前記ミシンベッドに設けられた複数の係合支持部に係合可能な複数の係合部を有するテーブル本体と、
前記テーブル本体の左端部に、略水平姿勢の収納位置と略鉛直姿勢の使用位置とに亙って切換え可能に設けられた略Ｕ字形状の第１の支持脚と、
前記テーブル本体の右端部に、略水平姿勢の収納位置と略鉛直姿勢の使用位置とに亙って切換え可能に設けられた略Ｕ字形状の第２の支持脚であって、前記フリーアーム部の伸長方向に移動させて装着する際、使用位置に位置する前記第２の支持脚の下端部が、前記フリーアーム部と前記底板との空間に挿入されて前記底板に載置される第２の支持脚と、  を備えたことを特徴とする補助テーブル。
【請求項２】
前記第１の支持脚が収納位置であっても、前記第２の支持脚と前記複数の係合部を介して、前記テーブル本体が前記フリーアーム部に装着された姿勢を保持するように構成されたことを特徴とする請求項１に記載の補助テーブル。
【請求項３】
前記第１、第２の支持脚はテーブル本体に連結される連結部を有し、その連結部を回動中心として回動可能に設けられ、収納位置と使用位置とに亙って切換えられることを特徴とする請求項１又は２に記載の補助テーブル。
【請求項４】
前記第２の支持脚が使用位置にあるときに前記第２の支持脚の回動を規制する回動規制機構を設けたことを特徴とする請求項３に記載の補助テーブル。
【請求項５】
前記回動規制機構は、前記連結部の近傍においてテーブル本体に固定された支持片と、  この支持片に装着されて第２の支持脚が使用位置から収納位置へ回動しないように規制する規制部材であって規制位置と退避位置とに切換え可能な規制部材と、
この規制部材を規制位置へ付勢する弾性部材と、
前記規制部材を退避位置へ移動させる操作部とを有することを特徴とする請求項４に記載の補助テーブル。
【請求項６】
前記回動規制機構は、
前記テーブル本体に固着された枢支ピンと、
前記テーブル本体に設けられ、前記第２の支持脚が使用位置に位置したときに前記第２の支持脚の上端部を回動不能に係合する係合凹部と、
前記第２の支持脚の連結部に設けられ、前記枢支ピンに対して前記第２の支持脚が回動可能且つ支持脚の伸長方向に移動可能に支持する長穴と、
前記枢支ピンに対して前記第２の支持脚の上端部を前記係合凹部に係合させる方向に弾性力を付勢する弾性部材とを有することを特徴とする請求項４に記載の補助テーブル。
【請求項７】
左側方に伸長する筒状のフリーアーム部を有するミシンベッドと前記フリーアーム部の下方に所定の空間をおいて配置された底板とを備えたミシンに着脱可能に装着する補助テーブルの取り付け構造において、
前記ミシンベッドに設けられ、前記補助テーブルに設けられた複数の係合部に係合可能な複数の係合支持部と、
前記補助テーブルの左端部に、略水平姿勢の収納位置と略鉛直姿勢の使用位置とに亙って切換え可能に設けられた略Ｕ字形状の第１の支持脚と、
前記補助テーブルの右端部に、略水平姿勢の収納位置と略鉛直姿勢の使用位置とに亙って切換え可能に設けられた略Ｕ字形状の第２の支持脚であって、前記フリーアーム部の伸長方向に移動させて装着する際に、使用位置に位置する前記第２の支持脚の下端部が、前記フリーアーム部と前記底板と空間に挿入されて前記底板に載置される第２の支持脚とによって構成されたことを特長とする補助テーブルの取り付け構造。
【請求項８】
前記複数の係合支持部は、前記フリーアーム部の左端部近傍の部位と、前記補助テーブルの右端部が当接する前記ミシンベッドの部位とに形成されており、前記補助テーブルが装着された状態で、前記第１の支持脚を使用位置から収納位置に切換えても、前記複数の係合支持部により前記補助テーブルの装着姿勢が保持されることを特徴とする請求項７に記載の補助テーブルの取り付け構造。
【発明の詳細な説明】
【技術分野】
【０００１】
本発明は、フリーアーム部を有するミシンベッドとフリーアーム部の下方に所定の空間をおいて配置された底板とを備えたミシンに着脱可能に装着される補助テーブル及び補助テーブルの取り付け構造に関し、特に折り畳み可能な略Ｕ字形状の支持脚をテーブル本体の左右端部に夫々設けるように構成したものに関する。
【背景技術】
【０００２】
従来、ミシンに装着可能な補助テーブルは、大きな加工布を縫製する際に、ミシンベッドのフリーアーム部に装着することにより、広い加工布支持面を確保して作業をしやすくする為に使用されている。
【０００３】
特許文献１には、前後１対のテーブル板を折り畳み可能に連結し、テーブル板の４隅部に４つの支持脚が設けられ、収納時には、それらの支持脚が折り畳めるよう可倒式に構成した補助テーブルが開示されている。この補助テーブルを使用するに際して、両テーブル板を展開した状態で、掛止爪をピンに掛止させてから、支持脚を引き起こして使用位置に切換えて、補助テーブル側の複数の封止ピンを対応するミシン側の封止金具に係止させて、補助テーブルをその収容部を介してミシンベッドに装着する。他方、補助テーブルを収納する際には、装着の際と逆の順序で補助テーブルを取り外してから、支持脚を折り畳んで収納位置に切換えて、テーブル板を折り畳むことでコンパクトに収納保管できる。
【特許文献１】実公昭５９−２０２３５号公報
【発明の開示】
【発明が解決しようとする課題】
【０００４】
このように、補助テーブルの使用や収納に際して、４つの支持脚を夫々使用位置と収納位置とに切換える必要があるため、支持脚が多いと支持脚の切換え作業に手間が掛かり作業者にとって煩わしい。また、作業上、補助テーブル上面とミシンベッド上面を略同一高さにしておく必要があるため、支持脚の高さ寸法を精度良く製作しておく必要がある。
支持脚の高さを精度良く製作した場合においても、テーブルの高さがミシン本体を載置する部位と、補助テーブルを載置する部位とで異なる場合には、補助テーブル上面とミシンベッド上面とに段差が生じることになる。そこで、夫々の支持脚の高さを調整する為の調整機構を夫々の支持脚に設けることが考えられる。この場合には、部品点数が多くなる上、各調整機構の高さ調整を作業者が行うのは非常に煩わしく、作業性に劣る。
【０００５】
一方、Ｔシャツやスカート等の比較的大きな筒物に縫製を行う場合には、補助テーブルをミシンベッドのフリーアーム部に装着した状態では、補助テーブルのフリーアーム部よりも左側の支持脚が邪魔になって、筒物縫いを行うことができないという問題がある。
【０００６】
本発明の目的は、補助テーブルの着脱時における操作性を改善すること、装着した補助テーブルとミシンベッドとを略同一高さにできるようにすること、補助テーブルを装着した状態でも筒物縫いを行えるようにすること、等である。
【課題を解決するための手段】
【０００７】
請求項１の補助テーブルは、左側方に伸長する筒状のフリーアーム部を有するミシンベッドと前記フリーアーム部の下方に所定の空間をおいて配置された底板とを備えたミシンに着脱可能に装着する補助テーブルにおいて、前記ミシンベッドに設けられた複数の係合支持部に係合可能な複数の係合部を有するテーブル本体と、前記テーブル本体の左端部に、略水平姿勢の収納位置と略鉛直姿勢の使用位置とに亙って切換え可能に設けられた略Ｕ字形状の第１の支持脚と、前記テーブル本体の右端部に、略水平姿勢の収納位置と略鉛直姿勢の使用位置とに亙って切換え可能に設けられた略Ｕ字形状の第２の支持脚であって、前記フリーアーム部の伸長方向に移動させて装着する際、使用位置に位置する前記第２の支持脚の下端部が、前記フリーアーム部と前記底板との空間に挿入されて前記底板に載置される第２の支持脚とを備えた。
【０００８】
従来よりも支持脚の個数を削減したので、補助テーブルの着脱時における支持脚の収納位置と使用位置との切換えを容易に行える。また、補助テーブルをフリーアーム部の伸長方向に移動させて装着した場合、使用位置に位置する第２の支持脚の下端部がフリーアーム部と底板との空間に挿入されて前記底板に載置されるので、例え作業机に段差がある場合でも、補助テーブルとミシンベッドとの高さが略同一高さになる。
【０００９】
請求項２の補助テーブルは、請求項１の発明において、前記第１の支持脚が収納位置であっても、前記第２の支持脚と前記複数の係合部を介して、前記テーブル本体が前記フリーアーム部に装着された姿勢を保持するように構成された。
【００１０】
請求項３の補助テーブルは、請求項１又は２の発明において、前記第１、第２の支持脚はテーブル本体に連結される連結部を有し、その連結部を回動中心として回動可能に設けられ、収納位置と使用位置とに亙って切換えられるように構成された。
【００１１】
請求項４の補助テーブルは、請求項１〜３の何れかの発明において、前記第２の支持脚が使用位置にあるときに前記第２の支持脚の回動を規制する回動規制機構を設けた。
【００１２】
請求項５の補助テーブルは、請求項４の発明において、前記回動規制機構は、前記連結部の近傍においてテーブル本体に固定された支持片と、この支持片に装着されて第２の支持脚が使用位置から収納位置へ回動しないように規制する規制部材であって規制位置と退避位置とに切換え可能な規制部材と、この規制部材を規制位置へ付勢する弾性部材と、前記規制部材を退避位置へ移動させる操作部とを有する。
【００１３】
請求項６の補助テーブルは、請求項４の発明において、前記回動規制機構は、前記テーブル本体に固着された枢支ピンと、前記テーブル本体に設けられ、前記第２の支持脚が使用位置に位置したときに前記第２の支持脚の上端部を回動不能に係合する係合凹部と、前記第２の支持脚の連結部に設けられ、前記枢支ピンに対して前記第２の支持脚が回動可能且つ支持脚の伸長方向に移動可能に支持する長穴と、前記枢支ピンに対して前記第２の支持脚の上端部を前記係合凹部に係合させる方向に弾性力を付勢する弾性部材とを有する。
【００１４】
請求項７の補助テーブルの取り付け構造は、左側方に伸長する筒状のフリーアーム部を有するミシンベッドと前記フリーアーム部の下方に所定の空間をおいて配置された底板とを備えたミシンに着脱可能に装着する補助テーブルの取り付け構造において、前記ミシンベッドに設けられ、前記補助テーブルに設けられた複数の係合部に係合可能な複数の係合支持部と、前記補助テーブルの左端部に、略水平姿勢の収納位置と略鉛直姿勢の使用位置とに亙って切換え可能に設けられた略Ｕ字形状の第１の支持脚と、前記補助テーブルの右端部に、略水平姿勢の収納位置と略鉛直姿勢の使用位置とに亙って切換え可能に設けられた略Ｕ字形状の第２の支持脚であって、前記フリーアーム部の伸長方向に移動させて装着する際に、使用位置に位置する前記第２の支持脚の下端部が、前記フリーアーム部と前記底板と空間に挿入されて前記底板に載置される第２の支持脚とによって構成された。この場合、上述の構成により、請求項１と同様の作用を奏する。
【００１５】
請求項８の補助テーブルの取り付け構造は、請求項７の発明において、前記複数の係合支持部は、前記フリーアーム部の左端部近傍の部位と、前記補助テーブルの右端部が当接する前記ミシンベッドの部位とに形成されており、前記補助テーブルが装着された状態で、前記第１の支持脚を使用位置から収納位置に切換えても、前記複数の係合支持部により前記補助テーブルの装着姿勢が保持されるように構成された。
【発明の効果】
【００１６】
請求項１の発明によれば、テーブル本体に略Ｕ字形状の第１の支持脚と、略Ｕ字形状の第２の支持脚とを設けることにより、従来よりも支持脚の個数を削減したので、補助テーブルの着脱時における支持脚の収納位置と使用位置との切換え作業が格段に簡単化する。更に、荷重に充分耐えることが可能な略Ｕ字形状の支持脚を用いたので、使用位置に切換えたときの支持脚の強度が従来の支持脚よりも向上し、耐荷重性を高めることができる。
【００１７】
また、補助テーブルをフリーアーム部の伸長方向に移動させて装着した場合、使用位置に位置する第２の支持脚の下端部がフリーアーム部と底板との空間に挿入されて前記底板に載置されるので、例え作業机に段差がある場合でも、補助テーブルとミシンベッドとの高さが略同一高さになる。しかも、補助テーブルとミシンベッドとを同一高さにするに際して、夫々の支持脚の高さを調整する為の調整機構を夫々の支持脚に設ける必要もないため、部品点数が増加することがない上、各調整機構の高さ調整を行う手間が省略でき、作業者の作業性が向上する。
【００１８】
請求項２の発明によれば、第１の支持脚が収納位置であっても、第２の支持脚と複数の係合部を介して、テーブル本体がフリーアーム部に装着された姿勢を保持するように構成されたので、補助テーブルを装着した状態で、第１の支持脚を収納位置に切換えることができ、筒物縫いが可能となり、その作業能率を高めることができる。
【００１９】
請求項３の発明によれば、第１、第２の支持脚はテーブル本体に連結される連結部を有し、その連結部を回動中心として回動可能に設けられ、収納位置と使用位置とに亙って切換えられるので、第１、第２の支持脚を収納位置と使用位置とに切換える回動操作が簡単化する。
【００２０】
請求項４の発明によれば、第２の支持脚が使用位置にあるときに第２の支持脚の回動を規制する回動規制機構を設けたので、補助テーブルをフリーアーム部とその下側の底板との間に装着する際に、その支持脚が底板と接触して収納位置方向に回動しないよう手で支さえなくてもよく、装着時の作業性を高めることができる。
【００２１】
請求項５の発明によれば、回動規制機構は、連結部の近傍においてテーブル本体に固定された支持片と、この支持片に装着されて第２の支持脚が使用位置から収納位置へ回動しないように規制する規制部材であって規制位置と退避位置とに切換え可能な規制部材と、この規制部材を規制位置へ付勢する弾性部材と、規制部材を退避位置へ移動させる操作部とを有するので、補助テーブルをフリーアーム部とその下側の底板との間に装着する際に、第２の支持脚を使用位置に切換えた場合には、弾性部材の付勢力により規制部材が規制位置に切換えられ、第２の支持脚の収納位置方向への回動を防止でき、第２の支持脚を使用位置に確実に保持しておくことができる。
【００２２】
請求項６の発明によれば、回動規制機構は、テーブル本体に固着された枢支ピンと、テーブル本体に設けられ、第２の支持脚が使用位置に位置したときに第２の支持脚の上端部を回動不能に係合する係合凹部と、第２の支持脚の連結部に設けられ、枢支ピンに対して第２の支持脚が回動可能且つ支持脚の伸長方向に移動可能に支持する長穴と、枢支ピンに対して第２の支持脚の上端部を係合凹部に係合させる方向に弾性力を付勢する弾性部材とを有するので、補助テーブルをフリーアーム部に装着する際に、第２の支持脚を使用位置に切換えた場合には、弾性部材の付勢力とテーブル本体側に設けられた係合凹部により、第２の支持脚の収納位置方向への回動を防止でき、第２の支持脚を使用位置に確実に保持しておくことができる。
【００２３】
請求項７の発明によれば、ミシンベッドに設けられ、補助テーブルに設けられた複数の係合部に係合可能な複数の係合支持部と、補助テーブルの左端部に、略水平姿勢の収納位置と略鉛直姿勢の使用位置とに亙って切換え可能に設けられた略Ｕ字形状の第１の支持脚と、補助テーブルの右端部に、略水平姿勢の収納位置と略鉛直姿勢の使用位置とに亙って切換え可能に設けられた略Ｕ字形状の第２の支持脚であって、フリーアーム部の伸長方向に移動させて装着する際に、使用位置に位置する第２の支持脚の下端部が、フリーアーム部と底板と空間に挿入されて底板に載置される第２の支持脚とによって構成されたので、請求項１と同様の効果を奏する。
【００２４】
請求項８の発明によれば、複数の係合支持部は、フリーアーム部の左端部近傍の部位と、補助テーブルの右端部が当接するミシンベッドの部位とに形成されており、補助テーブルが装着された状態で、第１の支持脚を使用位置から収納位置に切換えても、複数の係合支持部により補助テーブルの装着姿勢が保持されるので、請求項２と同様の効果を奏する。
【発明を実施するための最良の形態】
【００２５】
以下、本発明の実施の形態を図面に基づいて説明する。
【実施例１】
【００２６】
図１、図２に示すように、ミシンＭは、ベッド部１（ミシンベッド）と、ベッド部１の右側部分に立設された脚柱部２と、ベッド部１と対向するように脚柱部２の上部から左方へ延びるアーム部３と、アーム部３の左部に設けられた頭部４とを有する。
【００２７】
アーム部３の左端の頭部４には縫針５や押え足６等が設けられ、ベッド部１には加工布を布送りする送り歯（図示略）と針板７が設けられている。アーム部３には、複数の操作ボタンが配設された操作パネル８が設けられ、これらの操作ボタンを介してミシンＭの制御ユニットに種々の指令を入力して種々の実用模様の縫目を縫製できるようになっている。ベッド部１には、左側方に伸長する筒状のフリーアーム部１ａと、フリーアーム部１ａの下方に所定の空間をおいて配置されたベッド部１と一体の底板９とが設けられ、フリーアーム部１ａの左方には、平面視にて略横向きＵ字状の補助テーブル２１が着脱可能に装着されている。
【００２８】
また、ベッド部１には、ベッド部１から着脱可能な分離ベッド部（図示略）が設けられており、その分離ベッド部を取り外すと、フリーアーム部１ａと底板９が露出し、フリーアーム部１ａに補助テーブル２１が装着可能となる。
【００２９】
図３に示すように、ミシンＭには、フリーアーム部１ａの左端面に凹部１０、補助テーブル２１を装着したときにテーブル本体２２の前側の右端部が当接するベッド部１の部位に凹部１１が夫々形成され、更に、フリーアーム部１ａの前端部側面には、その左端から針板７の下側付近に亙って左右向きのガイド溝１２が形成されている。それらは補助テーブル２１を装着する為の係合支持部に相当する。
【００３０】
次に、補助テーブル２１について、図２、図４〜図８に基づいて説明する。
補助テーブル２１は、テーブル本体２２と、テーブル本体２２の左端部の下側に設けられた第１支持脚２３と、テーブル本体２２の右端部の下側に設けられた第２支持脚２４とを有しており、第１支持脚２３と第２支持脚２４は、後述する連結部３４，３８により、略水平姿勢の収納位置と略鉛直姿勢の使用位置とに亙って切換え可能に構成されている。
【００３１】
テーブル本体２２は、全体として平面視略横向きＵ字形状をなし、テーブル本体２２の右端部から長手方向途中部に亙って、フリーアーム部１ａを導入する為の矩形状の切欠き開口２５が形成されている。テーブル本体２２の切欠き開口２５の左側に対応する左端縁部内に、フリーアーム部１ａの凹部１０に係合する係合部２６と、テーブル本体２２の前側の右端部面に、ベッド部１の凹部１１に係合する係合部２７と、テーブル本体２２の切欠き開口２５の前端に対応する前端面に、フリーアーム部１ａのガイド溝１２に係合する係合部２８が夫々突出状に形成されている。
【００３２】
図５、図６に示すように、第１支持脚２３は、側面視略Ｕ字形状であって、１対の脚部２３ａと、それらを連結する水平脚部２３ｂ（下端部）とからなる。第２支持脚２４は、側面視略Ｕ字形状であって、１対の脚部２４ａと、それらを連結する水平脚部２４ｂ（下端部）とからなる。第２支持脚２４が鉛直姿勢の使用位置のとき、その下端部はフリーアーム部１ａと底板９との空間に挿入されて底板９に載置される（図２参照）。
【００３３】
テーブル本体２２の裏面左側には、第１支持脚２３が水平姿勢の収納位置において、第１支持脚２３の形成に沿う支持壁３１が設けられ、第１支持脚２３の脚部２３ａと平行に２つの取付け壁３２，３３が夫々設けられている。また、テーブル本体２２の裏面右側にも同様に、正面視逆台形の薄板状の２つの支持壁３５，３６が夫々対向するように設けられ、第２支持脚２４の脚部２４ａと平行に取付け壁３７が設けられている。
【００３４】
第１支持脚２３の１対の脚部２３ａにおいて、両側に突出するように円柱状の軸部２３ｃが、夫々設けられている。前側の脚部２３ａの軸部２３ｃが、支持壁３１の前壁に形成された穴３１ａと取付け壁３２に形成された穴３２ａに挿通され、後側の脚部２３ａの軸部２３ｃが、支持壁３１の後壁に形成された穴３１ａと取付け壁３３に形成された穴３３ａに挿通されている。軸部２３ｃと穴３１ａ，３２ａ，３３ａが第１支持脚２３における連結部３４に相当する。連結部３４を回動中心として第１支持脚２３が回動可能にテーブル本体２２に連結され、第１支持脚２３を収納位置と使用位置とに亙って切換えられる。
【００３５】
また、第１支持脚２３の１対の脚部２３ａには、半球状の係合突起部２３ｄが対向するように形成され、支持壁３１の前壁と後壁には、穴３１ａよりも小径の係合穴３１ｂが上下に２つ形成されている。図７に示すように、第１支持脚２３が収納位置にあるときには、係合突起部２３ｄは下側の係合穴３１ｂに嵌められ、図８に示すように、第１支持脚２３が使用位置にあるときには、上側の係合穴３１ｂに嵌められて、第１支持脚２３は夫々の位置で保持される。
【００３６】
第２支持脚２４についても同様に、１対の脚部２４ａにおいて、両側に突出するように円柱状の軸部２４ｃが、夫々設けられている。前側の脚部２４ａの軸部２４ｃが、支持壁３５に形成された穴３５ａと取付け壁３７に形成された穴３７ａに挿通され、後側の脚部２４ａの軸部２４ｃが、支持壁３６に形成された穴３６ａと外壁２１ａに形成された穴２１ｂに挿通されている。軸部２４ｃと穴２１ｂ，３５ａ，３６ａ，３７ａが第２支持脚２４における連結部３８に相当する。連結部３８を回動中心として第２支持脚２４が回動可能にテーブル本体２２に連結され、第２支持脚２４を収納位置と使用位置とに亙って切換えられる。
【００３７】
また、第２支持脚２４の１対の脚部２４ａには、半球状の係合突起部２４ｄが対向するように形成され、支持壁３５，３６には、穴３５ａ，３６ａよりも小径の係合穴３５ｂ，３６ｂが上下に２つ形成されている。図７に示すように、第２支持脚２４が収納位置にあるときには、係合突起部２４ｄは下側の係合穴３５ｂ，３６ｂに嵌められ、図８に示すように、第２支持脚２４が使用位置にあるときには、上側の係合穴３５ｂ，３６ｂに嵌められて、第２支持脚２４は夫々の位置で保持される。
【００３８】
次に、以上説明したミシンＭと補助テーブル２１の作用、効果について説明する。
ベッド部１の分離ヘッド部を取り外すと、フリーアーム部１ａと底板９が露出し、フリーアーム部１ａに補助テーブル２１が装着可能となる。補助テーブル２１をフリーアーム部１ａの伸長方向に移動させて装着するに際して、先ず、補助テーブル２１の第１支持脚２３と第２支持脚２４を回動させて、収納位置から使用位置に切換える。第１支持脚２３と第２支持脚２４を使用位置に保持した状態でフリーアーム部１ａにテーブル本体２２を切欠き開口２５から導入する。
【００３９】
フリーアーム部１ａの前端部側面に形成されたガイド溝１２に係合部２８の右端側から嵌入し、水平に右方向にスライド移動させて、凹部１０と係合部２６、凹部１１と係合部２７、ガイド溝１２と係合部２８とが夫々係合する所定の係合位置まで押し込んで装着する。他方、補助テーブル２１を収納するに際して、装着の際と逆の順序で補助テーブル２１を取り外してから、第１支持脚２３と第２支持脚２４を回動させて収納位置に切換える。
【００４０】
このように、テーブル本体２２に略Ｕ字形状の第１支持脚２３と第２支持脚２４とを設けて、従来よりも支持脚の個数を削減したので、補助テーブル２１の着脱時における第１支持脚２３と第２支持脚２４の収納位置と使用位置との切換え作業が格段に簡単化する。しかも、連結部３４，３８を回動中心として回動可能に設けたので、第１支持脚２３と第２支持脚２４の切換え作業を簡単に能率的に行うことができる。更に、図示のように大型であって荷重に充分耐えることが可能な略Ｕ字形状の支持脚を用いたので、使用位置に切換えたときの支持脚の強度が従来の支持脚よりも向上し、耐荷重性を高めることができる。
【００４１】
このとき、使用位置に位置する第２支持脚２４の水平脚部２４ｂがフリーアーム部１ａと底板９との空間に挿入されて底板９に載置されるので、例え作業机に段差がある場合でも、補助テーブル２１とベッド部１との高さが略同一高さになる。しかも、補助テーブル２１とベッド部１とを同一高さにするに際して、第１支持脚２３と第２支持脚２４の高さを調整する為の調整機構を夫々の支持脚２３，２４に設ける必要もないため、部品点数が増加することがない上、各調整機構の高さ調整を行う手間が省略でき、作業者の作業性が向上する。
【００４２】
また、ベッド部１に形成された凹部１０，１１、ガイド溝１２と、テーブル本体に形成された係合部２６，２７，２８とを係合させ且つ第２支持脚２４でテーブル本体２２を支持することにより、第１支持脚２３を収納位置に切換えても、テーブル本体２２のフリーアーム部１ａに装着された姿勢を保持させることができるので、筒物縫いが可能となり、その作業能率を高めることができる。
【実施例２】
【００４３】
次に、本発明の実施例２について、図９〜図１２に基づいて説明する。但し、前記実施例と同一の構成には同一の符号を付し、異なる構成についてのみ説明する。
この実施例２においては、第２支持脚２４が使用位置にあるときに第２支持脚２４の回動を規制する為の回動規制機構５５を設けている。
【００４４】
回動規制機構５５は、支持片５１と、規制ピン５２（規制部材）と、規制ピン５２を規制位置へ付勢するコイルバネ５３（弾性部材）と、規制ピン５２を退避位置へ移動させるリリースレバー５４（操作部）などから構成されている。支持片５１は、第２支持脚２４の連結部３８の近傍においてテーブル本体２２にネジ５６で固定されている。リリースレバー５４の裏面には、２つの枢支部５４ａが一体的に設けられている。規制ピン５２は、これらの枢支部５４ａによりリリースレバー５４に固着され、リリースレバー５４と一体的に移動可能に構成されている。更に、枢支部５４ａと支持片５１の後壁５１ｃとの間にはコイルバネ５３が規制ピン５２に外嵌されている。
【００４５】
規制ピン５２は、コイルバネ５３の付勢力により支持片５１の前壁５１ａに形成された貫通穴５１ｂから前方へ突出する規制位置に付勢されており、リリースレバー５４の操作により、規制ピン５２を支持片５１の前壁５１ａから前方へ突出しない退避位置に切換えることができる。
【００４６】
図１１に示すように、第２支持脚２４が収納位置にある場合には、規制ピン５２の先端は第２支持脚２４の脚部２４ａに当接して規制ピン５２は退避位置に位置している。そこで、図１２に示すように、補助テーブル２１を装着するに際して、第２支持脚２４を回動させて、収納位置から使用位置に切換えると、規制ピン５２の先端と第２支持脚２４の脚部２４ａとの当接が解除され、コイルバネ５３の付勢力により、規制ピン５２は規制位置に切換えられる。
【００４７】
他方、補助テーブル２１を収納するに際して、指でリリースレバー５４を前方へ移動させて規制ピン５２を退避位置に切換えながら第２支持脚２４を回動させて、第２支持脚２４を使用位置から収納位置に切換える。
【００４８】
このように、第２支持脚２４を使用位置に切換えた場合には、コイルバネ５３の付勢力により規制ピン５２が規制位置に切換えられ、第２支持脚２４の収納位置方向への回動を防止でき、第２支持脚２４を使用位置に確実に保持しておくことができる。そのため、補助テーブル２１をフリーアーム部１ａとその下側の底板９との間に装着する際に、第２支持脚２４が底板９と接触して収納位置方向に回動しないよう手で支さえなくてもよく、装着時の作業性を高めることができる。その他の構成、作用、効果は、前記実施例と同様である。
【実施例３】
【００４９】
次に、本発明の実施例３について、図１３〜図１４-2に基づいて説明する。但し、前記実施例と同一の構成には同一の符号を付し、異なる構成についてのみ説明する。
この実施例３においては、実施例２の回動規制機構５５の構成を変更したものである。
【００５０】
回動規制機構５５Ａは、テーブル本体２２に固着された枢支ピン６１と、テーブル本体２２に設けられた係合凹部６２と、第２支持脚２４に形成された長穴２４ｅと、コイルバネ６３などから構成されている。第２支持脚２４の高さ方向に長穴２４ｅが形成され、枢支ピン６１をこの長穴２４ｅに挿通させることにより、第２支持脚２４とテーブル本体２２とを連結している。ここで、長穴２４ｅと枢支ピン６１とが連結部３８Ａに相当する。第２支持脚２４は、長穴２４ｅにより枢支ピン６１に対して回動可能且つ第２支持脚２４の伸長方向に移動可能に支持されている。
【００５１】
係合凹部６２は、高さの異なる２種類の壁から構成され、テーブル本体２２の裏面の右端部に、第２支持脚２４の脚部２４ａが嵌入可能に形成され、第２支持脚２４が使用位置に切換えられているときに、第２支持脚２４の脚部２４ａを回動不能に係合させる。コイルバネ６３は、枢支ピン６１の軸方向の中段部に形成された溝６１ａと、側面視Ｌ字形の取付け壁２４ｆとに連結され、第２支持脚２４を使用位置に切換えた状態では、枢支ピン６１に対して第２支持脚２４の脚部２４ａの上端部を係合凹部６２に係合させる方向に弾性力を付勢する。
【００５２】
図１４-1に示すように、第２支持脚２４が収納位置にある場合には、枢支ピン６１が長穴２４ｅの中心付近に位置し、コイルバネ６３は伸長状態にある。補助テーブル２１をフリーアーム部１ａとその下側の底板９との間に装着するに際して、第２支持脚２４を収納位置から使用位置方向に回動させてゆき、所定の回動角度に達すると、コイルバネ６３の付勢力により、第２支持脚２４は枢支ピン６１の方向へ引っ張られ、第２支持脚２４の脚部２４ａの上端部が係合凹部６２に係合し、第２支持脚２４は使用位置に切換わる（図１４-2参照）。
【００５３】
他方、補助テーブル２１を収納するに際して、装着の際と逆の順序で補助テーブル２１を取り外してから、第１支持脚２３と第２支持脚２４を収納位置に切換える。第２支持脚２４については鉛直方向に引っ張りながら回動させて、収納位置に切換える（図１４-1参照）。このとき、第２支持脚２４の脚部２４ａの底部に形成された突部２４ｇが、テーブル本体２２の収納壁６４の係合穴６４ａと係合するので、第２支持脚２４が不用意に使用位置方向に飛び出すことを防止できる。
【００５４】
このように、第２支持脚２４を使用位置に切換えた場合には、コイルバネ６３の付勢力とテーブル本体２２側に設けられた係合凹部６２により、第２支持脚２４の収納位置方向への回動を防止でき、第２支持脚２４を使用位置に確実に保持することができる。その他の構成、作用、効果は、前記実施例と同様である。
【００５５】
次に、前記実施例を部分的に変更した変更例について説明する。
１）実施例では、係合支持部１０，１１，１２をフリーアーム部１ａの左端部と、フリーアーム部１ａの前端部側面と、補助テーブル２１を装着したときにテーブル本体２２の右端部が当接するベッド部１の部位とに設けて、それらの係合支持部１０，１１，１２に対応するテーブル本体２２の部位に係合部２６，２７，２８を夫々設けたが、係合支持部と係合部を設ける場所や個数については夫々変更可能である。
【００５６】
２）実施例では、第２支持脚２４が使用位置にあるときに第２支持脚２４の回動を規制する回動規制機構５５，５５Ａを設けたが、同様に第１支持脚２３にも回動規制機構５５，５５Ａを設けておき、第１支持脚２３が使用位置にあるときに第１支持脚２３の回動を規制してもよい。
３）その他、当業者であれば、前記実施例に種々の変更を付加した形態で実施可能であり、本発明はそのような変更された種々の形態を包含するものである。
【図面の簡単な説明】
【００５７】
【図１】本発明の補助テーブルを装着したミシンの斜視図である。
【図２】補助テーブルを装着したミシンの正面図である。
【図３】ベッド部の分離ベッド部を取り外したミシンにおける補助テーブルの取り付け構造の左側面図である。
【図４】補助テーブル（支持脚は収納位置）の平面図である。
【図５】補助テーブル（支持脚は収納位置）の底面図である。
【図６】補助テーブルの分解図である。
【図７】補助テーブル（支持脚は収納位置）の底面斜視図である。
【図８】補助テーブル（支持脚は使用位置）の底面斜視図である。
【図９】実施例２における回動規制機構の斜視図である。
【図１０】実施例２における回動規制機構の底面斜視図である。
【図１１】実施例２の図７相当図である。
【図１２】実施例２の図８相当図である。
【図１３】実施例３の図５相当図である。
【図１４−１】実施例３における回動規制機構と第２の支持脚（支持脚は収納位置）の断面図である。
【図１４−２】実施例３における回動規制機構と第２の支持脚（支持脚は使用位置）の断面図である。
【符号の説明】
【００５８】
Ｍ        ミシン
１        ベッド部（ミシンベッド）
１ａ      フリーアーム部
９        底板
２１      補助テーブル
１０，１１，１２      係合支持部
２２      テーブル本体
２３      第１支持脚
２４      第２支持脚
２４ｅ    長穴
２６，２７，２８      係合部
３４，３８，３８Ａ      連結部
５５，５５Ａ      回動規制機構
５１      支持片
５２      規制ピン（規制部材）
５３，６３      コイルバネ（弾性部材）
５４      リリースレバー（操作部）
６１      枢支ピン
６２      係合凹部
【図１】
2006149949.tif 000003
【図２】
2006149949.tif 000004
【図３】
2006149949.tif 000005
【図４】
2006149949.tif 000006
【図５】
2006149949.tif 000007
【図６】
2006149949.tif 000008
【図７】
2006149949.tif 000009
【図８】
2006149949.tif 000010
【図９】
2006149949.tif 000011
【図１０】
2006149949.tif 000012
【図１１】
2006149949.tif 000013
【図１２】
2006149949.tif 000014
【図１３】
2006149949.tif 000015
【図１４−１】
2006149949.tif 000016
【図１４−２】
2006149949.tif 000017